(57)【特許請求の範囲】
【請求項１】
食器の洗浄をおこなう食器洗浄機本体と、該食器洗浄機本体を収納する流し台の上方に所定距離隔てて設けられた外部ケースと、前記食器洗浄機本体を上昇させることで外部ケースに収納し、下降させることで外部ケースから食器洗浄機本体を取り出す昇降手段と、外部ケースの内側には、食器洗浄機本体に洗浄水を供給する給水手段と、食器洗浄機本体からの洗浄排水を排出する排水手段とを備え、
該排水手段は、前記昇降手段によって昇降される食器洗浄機本体側に排水ポンプと、該排水ポンプの下流に設けられた封水部と、該封水部の下流で、前記外部ケースに設けられた排水口に脱離自在に接続される排水接続部を有し、該排水接続部は、前記食器洗浄機本体を外部ケースに収納した際には前記排水口と接続され、前記食器洗浄機本体を前記外部ケースから取出した際には前記排水口と脱離することを特徴とする食器洗浄機。
【請求項２】
請求項１に記載の食器洗浄機において、前記排水口には、前記排水接続部が脱離したときに排水口を塞ぐ封止弁を有することを特徴とする食器洗浄機。
【請求項３】
請求項１に記載の食器洗浄機において、前記食器洗浄機本体を外部ケースに収納した状態を検出する収納検出手段を有し、収納検出手段が食器洗浄機本体が外部ケースに収納されていないことを検出したときは、食器洗浄機本体の運転を行わないようにする運転規制手段を備えることを特徴とする食器洗浄機。
【請求項４】
請求項１に記載の食器洗浄機において、前記封水部から排水接続部までは排水が上昇流となるように排水経路を構成し、かつ食器洗浄機本体を外部ケースに収納した際に、排水接続部が排水口よりも下方に位置するように構成したことを特徴とする食器洗浄機。
【請求項５】
請求項１に記載の食器洗浄機において、流し台のカウンターの上方に設置されることを特徴とする食器洗浄機。
【請求項６】
請求項１に記載の食器洗浄機において、流し台のカウンターの上方に設置される収納キャビネットに隣接して設置されることを特徴とする食器洗浄機。
【請求項７】
請求項１に記載の食器洗浄機において、前記給水栓に洗浄水を供給する給水配管と、前記排水口からの洗浄排水を排出する排水配管とを、流し台カウンターを貫通して備えることを特徴とする食器洗浄機。
【請求項８】
請求項１に記載の食器洗浄機において、食器洗浄機は流し台の上方の壁面に設置し、前記給水栓および前記排水口が前記壁面に設置されることを特徴とする食器洗浄機。
【発明の詳細な説明】
【０００１】
【発明の属する技術分野】
本発明は、流し台に設置する食器洗浄機に関する。
【０００２】
【従来の技術】
従来、食器洗浄機を流し台に設置する場合は、カウンター上に載置したり、カウンター下の収納キャビネット部分に組込んだりするものがあった。
カウンター上に載置するものの場合は、カウンター上の空きスペースに食器洗浄機を置いて、食器洗浄機への給水は流し台の水栓から分岐して、分岐部から食器洗浄機までを給水ホースで連結して行ない、食器洗浄機からの排水は食器洗浄機に連結した排水ホースで流し台のシンクに流していた。
食器洗浄機が腰高の位置に設置されるため、食器洗浄機の使用時に腰をかがめることがなく、楽な立ち姿勢で使用できるものであった。また流し台のシンクのすぐ横に設置できるため、汚れた食器をシンク内から食器洗浄機に移動させる場合にも、床に水滴や汚れがこぼれ落ちることがないため、床面を汚さずに使用できるものであった。
【０００３】
一方カウンター下の収納キャビネット部分に組込むものの場合には、通常流し台の収納キャビネットに多く使用される幅寸法３００ｍｍ、４５０ｍｍ、６００ｍｍ、７５０ｍｍ、９００ｍｍなどと、幅寸法を等しくした食器洗浄機を、収納キャビネットの替わりにカウンター下に設置するもので、食器洗浄機の給水および排水はカウンター下方に食器洗浄機用の給水管および排水管を備えて接続する。
カウンター上の調理や作業のスペースが削られることはなく、カウンター上は広々として、見た目にもすっきりとしたものとなる。また食器洗浄機の前面に、周囲の収納キャビネットと同じ面材を用いることにより流し台全体とのデザイン上の統一を図ることができるものであった。
【０００４】
【発明が解決しようとする課題】
しかしながら、食器洗浄機をカウンター上に載置した場合には、食器洗浄機の設置に必要なスペースの分だけカウンター上のスペースが少なくなり、調理や作業のスペースが削られてしまう問題があった。また食器洗浄機の給排水ホースがカウンター上のシンクとその近傍に設置されるため見た目にもすっきりせず、また給排水ホースにシンクなどから水や油の飛び跳ねが生じるとホースが汚れる場合があった。またデザイン上統一された流し台全体と食器洗浄機とはそぐわない場合があった。
【０００５】
また、食器洗浄機をカウンター下の収納キャビネット部に組込んだ場合には、食器洗浄機は使用者の腰よりも低い位置に設置されることから、使用時にその都度腰をかがめなければならず作業性がよくない問題があった。また食器洗浄機の設置に必要なスペースの分だけカウンター下の収納スペースが少なくなり、さらに食器洗浄機の使い勝手を考慮して流し台のシンクの近傍に組込むと、使用頻度の高い収納スペースが削られてしまう。反対に、シンク近傍の収納スペースを確保すれば、食器洗浄機はシンクから離れた場所に組込まれるため、汚れた食器をシンク内から食器洗浄機に移動させる際に、床に水滴や汚れがこぼれ落ちて床面を汚してしまう問題があった。またカウンター下の収納キャビネット部から食器洗浄機やその一部を引出して使用するものの場合には、使用者が流し台に沿って移動する際に邪魔になるなど、台所での通行の妨げになる場合があった。
【０００６】
本発明は、上記課題を解決するためになされたもので、本発明の目的は、食器洗浄機の使い勝手がよく、流し台の作業性と収納性と美観を損なわない食器洗浄機を提供することにある。
【０００７】
【課題を解決するための手段】
上記目的を達成するために本発明においては、食器の洗浄をおこなう食器洗浄機本体と、該食器洗浄機本体を収納する流し台の上方に所定距離隔てて設けられた外部ケースと、前記食器洗浄機本体を上昇させることで外部ケースに収納し、下降させることで外部ケースから食器洗浄機本体を取り出す昇降手段と、外部ケースの内側には、食器洗浄機本体に洗浄水を供給する給水手段と、食器洗浄機本体からの洗浄排水を排出する排水手段とを備え、
該排水手段は、前記昇降手段によって昇降される食器洗浄機本体側に排水ポンプと、該排水ポンプの下流に設けられた封水部と、該封水部の下流で、前記外部ケースに設けられた排水口に脱離自在に接続される排水接続部を有し、該排水接続部は、前記食器洗浄機本体を外部ケースに収納した際には前記排水口と接続され、前記食器洗浄機本体を前記外部ケースから取出した際には前記排水口と脱離するように構成したので、食器洗浄機本体を上昇させて外部ケースに収納しておき、必要なときに食器洗浄機本体を下降させて外部ケースから取出して使用することができる。また、排水手段を脱離方式にしたので、食器洗浄機本体の下降時に食器洗浄機と排水手段を繋ぐ排水用の配管が露出しないため見栄えの向上が図れ、更に排水手段を脱離させた場合に、食器洗浄機を下降させた際に異臭の問題が生じる可能性があるが、食器洗浄機本体側に設けた封水部によってそれも確実に防止できる。
【００１７】
【発明の実施の形態】
以下に、本発明の実施の形態について、図面を参照しながら説明する。
図１は本発明の一実施形態の食器洗浄機の正面図である。流し台１にはシンク２と、カウンター３と、カウンター３の下方の収納キャビネット４と、コンロ５と、コンロ５の上方の排気設備６とを備え、カウンター３の上方の収納キャビネット７に隣接して食器洗浄機８を備える。図１はシンク２の上方に設置した食器洗浄機８の本体９を下降させた状態を示す。本体９の前面に備えた開口１０から食器Ａの出し入れをおこなうため、汚れた食器をシンク２から、シンク２の前方や側方にはみ出さずに食器洗浄機８まで移動させることができるため、食器の汚れや水滴が床面に落下することがなくなる。図１では食器洗浄機８をシンク２の真上に配置するようにしたが、食器洗浄機８を排気設備６に隣接するようにすることもでき、その場合にも、食器の動線はカウンター３から前方にはみ出ないので床面が汚れることはない。また、食器洗浄機８や本体９はカウンター３から前方にはみ出ないので使用者の移動の邪魔や、台所内の通行の妨げになることはない。食器洗浄機８の開口１０や操作部１１は使用者の腰高から目線までの高さに収まるので、開口１０の内部まで見えやすくなり、また立ったままの姿勢で操作できるため使い勝手もよい。
【００１８】
食器洗浄機８の寸法は、収納キャビネット７の奥行き寸法に合わせて例えば４００ｍｍ、６００ｍｍのいずれかとすれば、収納キャビネット７と並んだ際に、前面上の凹凸が小さく美観的にも優れる。また食器洗浄機８の幅寸法は、収納キャビネット７の幅寸法のモジュールに合わせて例えば３００ｍｍ、４５０ｍｍ、６００ｍｍ、７５０ｍｍ、９００ｍｍ、１０５０ｍｍ、１２００ｍｍ、１３５０ｍｍ、のいずれかとしておけば、流し台のカウンターの上方に設置される収納キャビネットの一部に容易に置換えて設置することができるため、台所の様々な設計プランに応じて、設置することができる。
【００１９】
図２は本発明の一実施形態の食器洗浄機の正面図で、内部の構造を示すため部分的に断面とした概略図である。食器洗浄機８は外部ケース１２と、外部ケース１２に収納可能な本体９と、外部ケース１２に固定された昇降手段１４を備え、昇降手段１４が本体９を下降させると外部ケース１２から本体９が取出され、昇降手段１４が本体９を上昇させると外部ケース１２に本体９を収納するように構成している。図２は、本体９を下降させて外部ケース１２から取出した状態を示す。
本体９の側面には外部ケース１２との係合部１５を有し、本体９の昇降動作中のずれを防止する。係合部１５において本体９と外部ケース１２は、ボールやローラなどを介したころ接触や、潤滑剤を介して接触させるなど摩擦抵抗を減じることにより、昇降手段１４による本体９の昇降動作を低動力でかつ円滑に行うことができる。
【００２０】
昇降手段１４は、本体９の上部を吊り下げるベルト１３とベルト１３の巻取り機構１６とで構成してもよく、ベルト１３を巻き取ると本体９は上昇し、ベルト１３を緩めると本体９は自重で下降する。ベルト１３の巻取りによらず均等な張力を持たせるように張力調節手段１７を備えたり、ベルト１３の張力を検出する張力検出手段１８を備えて、設定した上限値以上の張力を検出した場合および設定した下限値以下の張力を検出した場合に、昇降手段１４を停止したり更に停止よりも前の状態に戻したりするように制御したり、異常と判断してブザーや発光手段にて報知するようにすれば、本体９の昇降中に、本体９の引っ掛かりや、本体９と外部ケース１２の間のはさみ込みなどで本体９の移動が物理的に規制された場合でも、安全に停止することができる。巻取り機構１６は、外部ケース１２に固定して備えてもよく、また本体９に固定してもよい。外部ケース１２に固定すれば本体９を軽量化でき、本体９に固定すれば本体９と昇降手段１４を合わせて制御する場合に配線が煩雑にならずに都合がよい。
なお、昇降手段１４は、外部ケース１２と本体９の間に備えたラック−ピニオン機構とピニオンを駆動するモータとで構成するなど、その他様々な態様を取ることができる。
【００２１】
図３は本発明の一実施形態の食器洗浄機の側面図で、内部の構造を示すため部分的に断面とした概略図である。なお図３は、本体９を上昇させて外部ケース１２に収納した状態を示す。外部ケース１２の内部には、給水栓１９と排水口２０を備える。給水栓１９は本体９の給水接続部２１と給水接続管２２で接続して、本体９に食器を洗浄するための洗浄水を供給する。給水接続管２２には可撓性のホースを用い、本体９の昇降に応じて変形させる。給水栓１９には止水ハンドル２３を備え、食器洗浄機８を使用しないときや本体９を取外す場合など必要に応じて止水ハンドル２３を締めて洗浄水の供給を止めることができる。止水ハンドル２３は外部ケース１２の外側に備えるようにしてもよい。
【００２２】
排水口２０は本体９の排水接続部２４と接続して本体９で食器を洗浄した洗浄水を排出する。排水口２０と排水接続部２４は着脱自在とし、本体９を外部ケース１２に収納したときには排水口２０と排水接続部２４が接続され、本体９を外部ケース１２から取出すと排水口２０と排水接続部２４は脱離する。
なお、排水口２０は、外部ケース１２の開口２５を通して施工される家屋の排水管２６と接続され、排水管２６は、食器洗浄機８を設置する壁２７の内部を通して施工される。同様に給水栓１９と接続する家屋の給水管２８も外部ケース１２の開口２５を通して接続されて、壁２７の内部を通して施工される。外部ケース１２の開口２５を通じて給排水管が接続できるので、施工が容易となる。
【００２３】
図４は本発明の一実施形態の食器洗浄機の要部断面図で、排水口２０と排水接続部２４が接続された状態を示す。
排水口２０には排水接続部２４が差し込まれており、排水接続部２４と排水口２０はＯリング３０で漏れのないように接続される。排水接続部２４と排水口２０とをシールするには、Ｏリング以外にも突き当て式のパッキンを用いてもよい。排水接続部２４の先端が、排水口２０の内部に備えた止水弁３４とバネ３５を押込むことで、止水弁３４と弁座３６との間に空隙ができる。この空隙に向かって曲折した排水通路３３を排水接続部２４に備えたので、排水接続部２４が適正に差し込まれていれば、排水の流れが止水弁３４に妨げられることがない。
排水接続部２４を排水口２０から抜き取ると、止水弁３４がバネ３５に押されて弁座３６に当たり排水口２０が塞がれるため、排水口２０に何も接続しない状態で開放されることがなく、排水管２６内の臭気ガスが排水口２０から漏れ出ない。
【００２４】
食器洗浄機８の排水は、本体９に備えた排水ポンプ３１で押出されて、封水部３２、逆流防止部３８、排水接続部２４を通り、排水口２０に至り、排水口２０以降は排水管２６の内部を重力で自然流下する。封水部３２から排水接続部２４に至る排水の経路は、常に上昇流になるように構成し、さらに排水接続部２４の上方に排水口２０を備えるようにしたので、封水部３２から排水口２０までの排水の経路には、封水部３２以外には水の溜まる箇所がなく、２つ以上の封水が形成されてしまう所謂二重トラップとはならず、二重トラップによる排水上の不具合を防止できる。
なお、封水部３２から排水接続部２４に至る経路内の排水は、排水ポンプ３１を停止すると、重力にしたがって封水部３２に向かって逆流しようとするが、逆流防止部３８を備えたので、排水は逆流しない。
【００２５】
排水接続部２４が排水口２０に適正な位置まで差し込まれ、適切に接続されたことを検出する排水接続検出手段３７を備えて、排水経路の接続が検出されないときには本体の運転を規制する運転規制手段（図示しない）に信号をおくり、排水の経路が接続されないままでは本体を運転しないようにして、排水の漏出のない安全な運転をおこなうことができる。排水接続検出手段３７は排水接続部２４の一部によって押込まれるリミットスイッチのようなものでもよい。
【００２６】
図５は本発明の別の実施形態の食器洗浄機の側面図で、内部の構造を示すため部分的に断面とした概略図である。外部ケース１２の内部に備えた排水口４０と本体９の排水接続部４１とは、排水接続管４２で接続される。排水接続部４１は排水口４０よりも上方に位置するので、排水接続部４１から排水口４０に向かって排水が重力で自然流下することになり、排水接続部４１以降は排水を流すための動力が不要となる。排水ポンプ（図示しない）に低動力の排水ポンプを使用したり、排水ポンプの高負荷での運転を回避したりできるため、排水ポンプの小型化、省電力化、低騒音などの利点が得られる。
【００２７】
排水接続管４２には、曲折可能な可撓性のホース４３を用い、ホース４３の曲折部４４を限定させたり曲折方向を規制したりする曲折規制手段４５を設ける構成とするほかに、複数の硬質の配管を回動可能に連結する構成としてもよい。
本体９を下降させると、排水接続管４２の曲折部４４の角度が小さくなることにより、排水接続部４１の移動に対応して排水接続管４２が追従する。また本体９を上昇させて外部ケース１２に収納するときは、排水接続管４２の曲折部４４の角度が大きくなり、下降時と同様に排水接続部４１の移動に対応して排水接続管４２が追従する。排水の経路を連結したままで本体９を昇降できるので、排水管４６内部の臭気などが漏れ出るおそれが小さくなる。
【００２８】
曲折規制手段４５は、曲折部４４の前後のホース４３に装着する装着部４７と、装着部４７と相互に回動可能に連結した連結部４８とを備え、また、ホース４３は、本体９を収納した際に曲折部４４が排水口４０よりも高くなるような長さとする。このような構成で本体９を昇降させると、ホース４３は常に曲折部４４にて曲折れ曲がり、連結部４８によって曲折方向が規制され、曲折部４４の位置はホース４３の長さによって規制できる。
また本体９を収納したときの曲折部４４の位置を検出する手段を備えて、曲折部４４が排水口４０よりも低くなったときには、本体９の運転を規制したり、異常を報知するようにしてもよい。
【００２９】
図３では、外部ケース１２を通して壁２７の内部に給排水管が施工されるように示したが、図５に示すように排水管４６を外部ケース１２の下方から取出して流し台１のカウンター３を貫通して施工してもよく、排水管４６は流し台１の内部でシンク２の排水管４９と合流する。給水管（図示しない）についても同様に流し台１の内部で家屋の給水管から分岐して、カウンター３を貫通して施工してもよい。カウンター３と食器洗浄機８の間には排水管４６および給湯管（図示しない）を隠蔽するカバー５０を備える。カバー５０は流し台１の美観を損ねないような外観を有するのが望ましく、カウンター３の水切り部の厚みに合わせたり、半透明の窓や引き戸を備えるなどしてもよい。
【００３０】
図６は本発明の別の実施形態の食器洗浄機の側面図で、内部の構造を示すため部分的に断面とした概略図である。外部ケース１２の内部に備えた排水口４０は、本体９の排水接続部４１と排水接続管４２で接続される。排水接続管４２には伸縮部５１を備える。図６には、伸縮部５１に、第一の直管５２と、第一の直管５２の外周にシール部材（図示しない）を備えて第一の直管５２の外径よりもわずかに大きい内径を有する第二の直管５３に挿入したものを用いるように示したが、伸縮部としてジャバラ構造を有するものでもよい。排水接続管４２と排水接続部４１、および排水接続管４２と排水口４０とは上下方向に回動可能に接続されるようにしている。
【００３１】
このような排水接続管４２を用いれば、本体９の排水接続部４１と排水接続管４２と排水口４０を接続したままで、図６（ａ）の状態から本体９を下降させると、排水接続部４１の移動にともない排水接続管４２の接続部が回動しながら伸縮部５１が縮むことにより、図６（ｂ）の状態となり、さらに本体９を下降させると、排水接続部４１の移動にともない排水接続管４２の接続部が回動しながら伸縮部５１が伸びることにより、図６（ｃ）の状態となる。反対に、本体９を上昇させて外部ケース１２に収納するときは、排水接続管４２の接続部が回動しながら伸縮部５１が伸縮することにより、図６（ｃ）の状態から、図６（ｂ）、図６（ａ）の状態に移行する。排水経路を連結したままで本体３を昇降できるので、排水管４６の内部の臭気などが漏れ出るおそれが小さくてすむ。
シール部材（図示しない）を二ヶ所に備えるようにすれば、伸縮の際のガタつきを小さくして、より円滑な伸縮動作が得られて、本体９の昇降にさらに追従しやすくなる。なお、図６に示すように、本体９が外部ケース１２に収納されたときに排水接続部４１が排水口４０よりも上方で、本体９が外部ケース１２から取出されたときには排水接続部４１が排水口４０よりも下方にあるように排水接続部４１および排水口４０を配置すると、排水接続管４２の伸縮幅は小さくてすむので、より円滑な伸縮動作が得られて、本体９の昇降にさらに追従しやすくなる。
【００３２】
なお、以上の実施例に関わらず、本発明の内容を逸脱しない範囲でいかなる実施の形態も取ることができるのは言うまでもない。
例えば、食器洗浄機は流し台のカウンターの上方に設置し、好ましくは、流し台のカウンターの上方に設置される収納キャビネットに隣接して設置することも考えられる。この場合、食器洗浄機本体を外部ケースに収納した状態では、使用者の流し台での作業の邪魔になることがなく、カウンター上のスペースが食器洗浄機によって削られることもない。また食器洗浄機本体を外部ケースから取出した状態では、流し台のカウンターの上方の腰高から目線の高さの間に食器洗浄機本体が配置されるので、流し台に向かって立った姿勢で食器洗浄機本体を使用することができ、視認性もよい。また汚れた食器をシンク内から食器洗浄機に移動させる際に、床に水滴や汚れがこぼれ落ちて床面を汚すおそれもなくなる。
上記により、食器洗浄機は流し台から前方に突出することがないので、使用者が流し台に沿って移動する際に邪魔になるなど、台所での通行の妨げになることもない。またカウンター下の収納キャビネットはそのまま収納キャビネットとして使用するため、使用頻度の高い収納スペースが削られてしまうこともなく、むしろ使用頻度の低い収納スペースを有効に利用することができる。食器洗浄機の外部ケースと収納キャビネットの外観デザインを統一すれば、流し台全体の美観を損なうことがない。さらに、外部ケースの奥行き寸法は収納キャビネットの奥行き寸法に合わせて例えば４００ｍｍ、６００ｍｍのいずれかとし、また外部ケースの幅寸法は収納キャビネットの幅寸法のモジュールに合わせて例えば３００ｍｍ、４５０ｍｍ、６００ｍｍ、７５０ｍｍ、９００ｍｍ、１０５０ｍｍ、１２００ｍｍ、１３５０ｍｍ、のいずれかとしておけば、流し台のカウンターの上方に設置される収納キャビネットの一部に容易に置換えて設置することができるため、統一的なデザインでより美観にすぐれた食器洗浄機を組込んだ流し台を提供することが可能となる。
また例えば、外部ケースの内側には給水栓および排水口を備えることも考えられる。この場合、食器洗浄機との給排水接続が容易におこなえるとともに、配管などが露出して流し台全体の美観を損なうことがない。配管が、流し台を設置する箇所の壁面内部を通して施工できる場合には、食器洗浄機を流し台の上方の壁面に設置し、給水栓および排水口が壁面に設置されるようにすれば容易に施工できる。配管を壁面内部に通して施工できない場合には、給水栓に洗浄水を供給する給水配管と、前記排水口からの洗浄排水を排出する排水配管とを、流し台カウンターを貫通して備えるようして施工してもよく、美観を損なわないようなカバーを備えて配管を隠蔽してもよい。
更に例えば、食器洗浄機本体には、食器洗浄機本体を外部ケースに収納した際には前記排水口と接続し、食器洗浄機本体を外部ケースから取出した際には前記排水口と脱離する排水接続部を有し、前記排水口には、前記排水接続部が脱離したときに排水口を塞ぐ封止弁を有するようにすることも考えられる。この場合、食器洗浄機本体を外部ケースから取出して際にも排水口が開放されたままになることがなく、排水口から配管内の臭気などが外部ケース内に漏れ出すことがなく、排水口の周囲の衛生性を確保できる。食器洗浄機の排水経路には封水部を備えるようにしておけば、排水口を通じて排水管内の臭気などが、食器洗浄機本体の内部に向かって封水部を乗り越えて侵入するのを防止できるので、食器洗浄機本体の内部の衛生性を確保することができる。
また例えば、食器洗浄機本体に前記排水口と接続する排水接続部を備え、食器洗浄機本体を外部ケースに収納した際に、排水接続部が前記排水口よりも上方に位置するように構成することも考えられる。このようにすれば、排水接続部から排水口に向かって排水が重力で自然流下するため、排水接続部以降の排水経路に排水を流すための動力が不要となり、低動力の排水ポンプが使用できるため、排水ポンプを小型化したり使用電力量を小さくすることができる。前記排水口と排水接続部を接続する排水接続管には、好ましくは、少なくとも一部を曲折可能にしたものや、少なくとも一部を伸縮可能にしたものを備えることで、排水口位置を変えずに、排水接続部と排水接続管を接続したままで、食器洗浄機本体を昇降することができるので、配管内部の臭気などが漏れ出るおそれが小さくなる。
更に例えば、排水接続管の少なくとも一部を曲折可能としたものの場合には、前記食器洗浄機本体を外部ケースに収納したときには、前記排水接続管の曲折部が前記排水口よりも上方で、かつ前記排水接続部よりも下方に位置するように、曲折部の位置を規制する曲折規制手段を備えるようにすることも考えられる。この場合、排水接続管の途中で封水部が形成されるのを防止できる。食器洗浄機を家屋の排水管と直接接続する場合、排水経路には封水部を備えて、排水口を通じて排水管内の臭気などが、食器洗浄機本体の内部に向かって封水部を乗り越えて侵入するのを防止しているが、排水接続管の途中に封水部があると、食器洗浄機の排水経路に２つ以上の封水部ができてしまい、所謂二重トラップの状態となる。二重トラップでは、封水部での封水切れや排水の逆流や配管内部の異音などが発生するおそれがあるが、前述のように排水接続管の途中で封水部が形成されるのを防止することで、２つ以上の封水部は形成させないので、排水経路での二重トラップによる不具合の発生を抑止できる。また排水接続管の少なくとも一部を伸縮可能としたものの場合には、排水接続管と前記排水接続部、および排水接続管と前記排水口とが上下方向に回動可能に接続されるようにすれば、排水接続管の伸縮が食器洗浄機本体の昇降に追従しやすくなる。
なお、望ましくは、食器洗浄機本体を外部ケースに収納した状態を検出する収納検出手段を有し、収納検出手段が、食器洗浄機本体が外部ケースに収納されていないことを検出したときは、食器洗浄機本体の運転を行わないようにする運転規制手段を備えることも考えられる。食器洗浄機本体を取出した際には、排水経路に複数の封水部が形成されている可能性があり、そのような排水経路に排水をおこなわなくすることで、封水部での封水切れや排水の逆流や配管内部の異音などが発生するのを抑止できる。
また例えば、食器洗浄機本体には、前記排水口と排水接続管で接続する排水接続部と、排水接続部の上流側には封水部を有し、封水部から排水接続部までは排水が上昇流となるように排水経路を構成し、かつ食器洗浄機本体を外部ケースに収納した際に、排水接続部が排水口よりも下方に位置するように構成してもよい。このようにすれば、食器洗浄機の排水経路に２つ以上の封水部が形成されるのを防止して、封水部での封水切れや排水の逆流や配管内部の異音などが発生するのを抑止できるので、排水接続部を着脱式とする場合など排水接続部が排水口よりも下方に位置する場合でも、排水上の不具合を防止できる。なお、この場合には、食器洗浄機本体を外部ケースから取出した際にも、収納時と同様に排水接続部が排水口よりも下方に位置するため、食器洗浄機本体を取出した状態で運転する際にも、排水上の不具合を防止できる。
上記によって、流し台のカウンターの上方に食器洗浄機を設置する際に、食器洗浄機の使い勝手がよく、流し台の作業性と収納性と美観を損なわない食器洗浄機を提供することができる。
【００３３】
【発明の効果】
本発明は上記構成により、従来流し台に設置する食器洗浄機において、流し台の上方に昇降可能に食器洗浄機を設置して、流し台での作業性、カウンター上のスペースや収納スペース、設置の美観を損なわず、立った姿勢のままで楽に使用することができて使い勝手が良い食器洗浄機を提供することができる。また、排水手段の見栄えの改善ならびに、異臭の問題等を効果的に防止できる食器洗浄機を提供することができる。
【図面の簡単な説明】
【図１】本発明の一実施形態の食器洗浄機の正面図。
【図２】本発明の一実施形態の食器洗浄機の正面図。
【図３】本発明の一実施形態の食器洗浄機の側面図。
【図４】本発明の一実施形態の食器洗浄機の要部断面図。
【図５】本発明の別の実施形態の食器洗浄機の側面図。
【図６】本発明の別の実施形態の食器洗浄機の側面図。
【符号の説明】
１：流し台、８：食器洗浄機、９：本体、１２：外部ケース
１４：昇降手段、１９：給水栓、２０、４０：排水口、４２：排水接続管
【図１】
0003899980.tif 000002
【図２】
0003899980.tif 000003
【図３】
0003899980.tif 000004
【図４】
0003899980.tif 000005
【図５】
0003899980.tif 000006
【図６】
0003899980.tif 000007